(57)【要約】 【課題】サイズが多種であると共に多量のマイクロナノバブルを経済的に作製できるマイクロナノバブル浴槽水作製方法およびマイクロナノバブル浴槽を提供する。【解決手段】このマイクロナノバブル浴槽１によれば、マイクロナノバブル発生部３４の上部と下部において、第１,第２の２種類のマイクロナノバブル発生機(水中ポンプ型マイクロナノバブル発生機２,旋回流型マイクロナノバブル発生機１０)によって、サイズ分布の異なる２種類のマイクロナノバブルを発生するので、幅広いサイズ分布のマイクロナノバブルを含有した浴槽水を多量に作製できる。また、下部で発生したマイクロナノバブル含有水の一部を上部の第１のマイクロナノバブル発生機(旋回流型マイクロナノバブル発生機１０)へ流入させることで、旋回流型マイクロナノバブル発生機１０ではよりサイズの小さいマイクロナノバブルを発生できる。【選択図】図１
2008079895.tif 000002
【特許請求の範囲】
【請求項１】
マイクロナノバブル発生部の上部で、上記マイクロナノバブル発生部の下部で発生させるマイクロナノバブルのサイズよりも小さいサイズのマイクロナノバブルを発生させて、マイクロナノバブルのサイズ分布の異なる２種類のマイクロナノバブルを発生させ、
上記マイクロナノバブル発生部の下部から上部に浴槽水を流し、
上記マイクロナノバブル発生部から浴槽部に上記マイクロナノバブル含有浴槽水を導入することを特徴とするマイクロナノバブル浴槽水作製方法。
【請求項２】
浴槽部と、
第１のマイクロナノバブル発生機が設置された上部と第２のマイクロナノバブル発生機が設置された下部とを有すると共に浴槽水が上記下部から上部に流れるマイクロナノバブル発生部とを備え、
上記第１のマイクロナノバブル発生機は、上記第２のマイクロナノバブル発生機が発生するマイクロナノバブルよりもサイズが小さなマイクロナノバブルを発生し、
上記マイクロナノバブル発生部から上記浴槽部にマイクロナノバブル含有浴槽水を導入することを特徴とするマイクロナノバブル浴槽。
【請求項３】
請求項２に記載のマイクロナノバブル浴槽において、
上記マイクロナノバブル発生部から上記浴槽部にマイクロナノバブル含有浴槽水を導入するホースを有し、
上記第１のマイクロナノバブル発生機は、高速旋回方式のマイクロナノバブル発生機であり、
上記第２のマイクロナノバブル発生機は、回転撹拌方式のマイクロナノバブル発生機であることを特徴とするマイクロナノバブル浴槽。
【請求項４】
請求項２に記載のマイクロナノバブル浴槽において、
上記マイクロナノバブル発生部から上記浴槽部にマイクロナノバブル含有浴槽水を導入するホースを有し、
上記第１のマイクロナノバブル発生機は、高速旋回方式のマイクロナノバブル発生機であり、
上記第２のマイクロナノバブル発生機は、加圧溶解ポンプ方式のマイクロナノバブル発生機であることを特徴とするマイクロナノバブル浴槽。
【請求項５】
請求項２に記載のマイクロナノバブル浴槽において、
上記マイクロナノバブル発生部から上記浴槽部にマイクロナノバブル含有浴槽水を導入するホースを有し、
上記第１のマイクロナノバブル発生機は、高速旋回方式のマイクロナノバブル発生機であり、
上記第２のマイクロナノバブル発生機は、コンプレッサー式加圧方式のマイクロナノバブル発生機であることを特徴とするマイクロナノバブル浴槽。
【請求項６】
請求項２に記載のマイクロナノバブル浴槽において、
上記マイクロナノバブル発生部から上記浴槽部にマイクロナノバブル含有浴槽水を導入するホースを有し、
上記第１のマイクロナノバブル発生機は、高速旋回方式のマイクロナノバブル発生機であり、
上記第２のマイクロナノバブル発生機は、ノズル噴射方式のマイクロナノバブル発生機であることを特徴とするマイクロナノバブル浴槽。
【請求項７】
請求項２に記載のマイクロナノバブル浴槽において、
上記第１のマイクロナノバブル発生機と上記第２のマイクロナノバブル発生機との間に、上記第１のマイクロナノバブル発生機に浴槽水を供給する吸い込み管を配置したことを特徴とするマイクロナノバブル浴槽。
【請求項８】
請求項２に記載のマイクロナノバブル浴槽において、
上記第１のマイクロナノバブル発生機に上記マイクロナノバブル発生部の浴槽水を供給する水配管および循環ポンプと、
上記第１のマイクロナノバブル発生機に空気を供給する空気配管と、
上記水配管から得られるマイクロナノバブル含有水をシャワー部に導入するシャワー配管とを有することを特徴とするマイクロナノバブル浴槽。
【請求項９】
請求項２に記載のマイクロナノバブル浴槽において、
界面活性剤タンクと、
上記界面活性剤タンクから上記浴槽部に界面活性剤を送出する界面活性剤タンクポンプと、
上記浴槽部の浴槽水の濁度を検出する濁度計と、
上記濁度計が出力する濁度検出信号に基づいて、上記界面活性剤タンクポンプの運転を制御する制御部とを有することを特徴とするマイクロナノバブル浴槽。
【請求項１０】
請求項９に記載のマイクロナノバブル浴槽において、
上記界面活性剤が、ボデーソープであることを特徴とするマイクロナノバブル浴槽。
【請求項１１】
請求項２に記載のマイクロナノバブル浴槽において、
浴槽部に、炭酸ガス発生固形物を投入することを特徴とするマイクロナノバブル浴槽。
【請求項１２】
請求項２に記載のマイクロナノバブル浴槽において、
上記マイクロナノバブル発生部は、上記下部の第２のマイクロナノバブル発生機の下方に設置されたひも状型ポリ塩化ビニリデン充填物を有することを特徴とするマイクロナノバブル浴槽。
【請求項１３】
請求項２に記載のマイクロナノバブル浴槽において、
上記マイクロナノバブル発生部は、上記下部の第２のマイクロナノバブル発生機の下方に設置されたリング型ポリ塩化ビニリデン充填物を有することを特徴とするマイクロナノバブル浴槽。
【請求項１４】
請求項２に記載のマイクロナノバブル浴槽において、
上記浴槽部に、入浴剤を添加することを特徴とするマイクロナノバブル浴槽。
【発明の詳細な説明】
【技術分野】
【０００１】
この発明は、２種類のマイクロナノバブル発生機を活用したマイクロナノバブル浴槽水作製方法およびマイクロナノバブル浴槽に関する。
【背景技術】
【０００２】
従来、マイクロナノバブル発生機を利用した浴槽は存在していたが、１種類のマイクロナノバブル発生機による浴槽では、発生したマイクロナノバブルのサイズの範囲が狭く、人間の身体に対する影響、特に、血液の流れに対する影響度は少ない内容であった。
【０００３】
特に、日本では糖尿病患者が多く、足の末端付近の血流悪化を原因とする壊疽による足の切断の事例もある。人の足の血流が悪化した場合の、改善方法として、マイクロナノバブルを発生させた浴槽のシステムが考えられるが、効果を発揮させるためには、多数の旋回流方式のマイクロナノバブル発生機を設置する必要があった。具体的には、旋回流方式のマイクロナノバブル発生機を１０台設置した事例である。この事例は、浴槽のコストアップにもつながり、現実的ではないシステムである。
【０００４】
そこで、幅広く各種のマイクロナノバブルを発生させることができ、しかも、マイクロナノバブル発生量も多量であると共に経済的なマイクロナノバブル浴槽が求められている。
【０００５】
ところで、従来、１種類のマイクロナノバブル発生機を利用してマイクロナノバブルを発生するマイクロナノバブルを発生する方法および装置が提案されている。
【０００６】
このような従来技術としてのナノバブルの利用方法および装置が、特許文献１(特開２００４−１２１９６２号公報)に示されている。この技術は、ナノバブルが有する浮力の減少、表面積の増加、表面活性の増大、局所高圧場の生成、静電分極の実現による界面活性作用と殺菌作用などの特性を活用したものである。より具体的には、それらが相互に関連することによって、汚れ成分の吸着機能、物体表面の高速洗浄機能、殺菌機能によって各種物体を高機能、低環境負荷で洗浄することができ、汚濁水の浄化を行うことができることを開示している。
【０００７】
また、もう１つの従来技術であるナノ気泡の生成方法が、特許文献２(特開２００３−３３４５４８号公報)に示されている。この技術は、液体中において、(1)液体の一部を分解ガス化する工程、(2)液体中で超音波を印加する工程または、(3)液体の一部を分解ガス化する工程および超音波を印加する工程から構成されている。
【０００８】
また、別の従来技術としてのオゾンマイクロバブルを利用する廃液の処理装置が、特許文献３(特開２００４−３２１９５９号公報)に示されている。この技術は、マイクロバブル発生装置にオゾン発生装置より生成されたオゾンガスと処理槽の下部から抜き出された廃液を加圧ポンプを介して供給している。また、この技術では、生成されたオゾンマイクロバブルをガス吹き出しパイプの開口部より処理槽内の廃液中に通気することを開示している。
【特許文献１】特開２００４−１２１９６２号公報
【特許文献２】特開２００３−３３４５４８号公報
【特許文献３】特開２００４−３２１９５９号公報
【発明の開示】
【発明が解決しようとする課題】
【０００９】
そこで、この発明の課題は、サイズが多種であると共に多量のマイクロナノバブルを経済的に作製できるマイクロナノバブル浴槽水作製方法およびマイクロナノバブル浴槽を提供することにある。
【課題を解決するための手段】
【００１０】
上記課題を解決するため、この発明のマイクロナノバブル浴槽水作製方法は、マイクロナノバブル発生部の上部で、上記マイクロナノバブル発生部の下部で発生させるマイクロナノバブルのサイズよりも小さいサイズのマイクロナノバブルを発生させて、マイクロナノバブルのサイズ分布の異なる２種類のマイクロナノバブルを発生させ、
上記マイクロナノバブル発生部の下部から上部に浴槽水を流し、
上記マイクロナノバブル発生部から浴槽部に上記マイクロナノバブル含有浴槽水を導入することを特徴としている。
【００１１】
この発明のマイクロナノバブル浴槽水作製方法によれば、マイクロナノバブル発生部の上部と下部とで異なるサイズ分布のマイクロナノバブルを発生させることで、幅広いサイズ分布のマイクロナノバブルを発生できる。また、下部で発生したマイクロナノバブルの一部を上部に導入することで、上部でより小さいサイズ分布のマイクロナノバブルを発生させ易くなって、サイズ分布の小さなマイクロナノバブル水を作製できる。
【００１２】
また、上記作製したマイクロナノバブル浴槽水をシャワー水として活用すれば、このシャワー水で頭髪や顔を洗うことで、頭髪の育毛対策、また顔のしわに対する美容効果を期待できる。
【００１３】
また、一実施形態のマイクロナノバブル浴槽は、浴槽部と、第１のマイクロナノバブル発生機が設置された上部と第２のマイクロナノバブル発生機が設置された下部とを有すると共に浴槽水が上記下部から上部に流れるマイクロナノバブル発生部とを備え、
上記第１のマイクロナノバブル発生機は、上記第２のマイクロナノバブル発生機が発生するマイクロナノバブルよりもサイズが小さなマイクロナノバブルを発生し、
上記マイクロナノバブル発生部から上記浴槽部にマイクロナノバブル含有浴槽水を導入する。
【００１４】
この実施形態のマイクロナノバブル浴槽によれば、マイクロナノバブル発生部の上部と下部において、第１,第２の２種類のマイクロナノバブル発生機によって、サイズ分布の異なる２種類のマイクロナノバブルを発生するので、幅広いサイズ分布のマイクロナノバブルを含有した浴槽水を多量に作製できる。また、下部で発生したマイクロナノバブル含有水の一部を上部の第１のマイクロナノバブル発生機へ流入させることで、第１のマイクロナノバブル発生機ではよりサイズの小さいマイクロナノバブルを発生できる。
【００１５】
また、シャワー機能を有する場合には、上記マイクロナノバブル含有水をシャワー水として使用することで、頭髪や顔を洗い、頭髪の育毛対策、また顔のしわに対する美容効果を期待できる。
【００１６】
また、一実施形態のマイクロナノバブル浴槽は、上記マイクロナノバブル発生部から上記浴槽部にマイクロナノバブル含有浴槽水を導入するホースを有し、上記第１のマイクロナノバブル発生機は、高速旋回方式のマイクロナノバブル発生機であり、上記第２のマイクロナノバブル発生機は、回転撹拌方式のマイクロナノバブル発生機である。
【００１７】
この実施形態のマイクロナノバブル浴槽によれば、マイクロナノバブル発生部の上部では、高速旋回方式のマイクロナノバブル発生機によって、サイズが比較的小さな分布のマイクロナノバブルを発生する一方、マイクロナノバブル発生部の下部では、回転撹拌方式のマイクロナノバブル発生機によって、サイズが比較的大きな分布のマイクロナノバブルを発生する。したがって、マイクロナノバブル発生部では、上部と下部とで方式が異なる２種類のマイクロナノバブル発生機でもってマイクロナノバブルを発生することで、幅広いサイズ分布のマイクロナノバブルを発生できる。
【００１８】
また、この実施形態によれば、上記幅広いサイズ分布のマイクロナノバブルを含有した浴槽水を、上記ホース(例えば、蛇腹ホース)を使って、患部に直接あてることができる。
【００１９】
また、一実施形態のマイクロナノバブル浴槽は、上記マイクロナノバブル発生部から上記浴槽部にマイクロナノバブル含有浴槽水を導入するホースを有し、上記第１のマイクロナノバブル発生機は、高速旋回方式のマイクロナノバブル発生機であり、上記第２のマイクロナノバブル発生機は、加圧溶解ポンプ方式のマイクロナノバブル発生機である。
【００２０】
この実施形態によれば、マイクロナノバブル発生部では、上部と下部とで方式が異なる２種類のマイクロナノバブル発生機(高速旋回方式のマイクロナノバブル発生機と加圧溶解ポンプ方式のマイクロナノバブル発生機)でもってマイクロナノバブルを発生することで、幅広いサイズ分布のマイクロナノバブルを発生できる。また、上記幅広いサイズ分布のマイクロナノバブルを含有した浴槽水を、上記ホース(例えば、蛇腹ホース)を使って患部に直接あてることができる。
【００２１】
また、一実施形態のマイクロナノバブル浴槽は、上記マイクロナノバブル発生部から上記浴槽部にマイクロナノバブル含有浴槽水を導入するホースを有し、上記第１のマイクロナノバブル発生機は、高速旋回方式のマイクロナノバブル発生機であり、上記第２のマイクロナノバブル発生機は、コンプレッサー式加圧方式のマイクロナノバブル発生機である。
【００２２】
この実施形態によれば、マイクロナノバブル発生部では、上部と下部とで方式が異なる２種類(高速旋回方式とコンプレッサー式加圧方式)のマイクロナノバブル発生機でもってマイクロナノバブルを発生することで、幅広いサイズ分布のマイクロナノバブルを発生できる。
【００２３】
また、一実施形態のマイクロナノバブル浴槽は、上記マイクロナノバブル発生部から上記浴槽部にマイクロナノバブル含有浴槽水を導入するホースを有し、上記第１のマイクロナノバブル発生機は、高速旋回方式のマイクロナノバブル発生機であり、上記第２のマイクロナノバブル発生機は、ノズル噴射方式のマイクロナノバブル発生機である。
【００２４】
この実施形態によれば、マイクロナノバブル発生部では、上部と下部とで方式が異なる２種類(高速旋回方式とノズル噴射方式)のマイクロナノバブル発生機でもってマイクロナノバブルを発生することで、幅広いサイズ分布のマイクロナノバブルを発生できる。
【００２５】
また、一実施形態のマイクロナノバブル浴槽は、上記第１のマイクロナノバブル発生機と上記第２のマイクロナノバブル発生機との間に、上記第１のマイクロナノバブル発生機に浴槽水を供給する吸い込み管を配置した。
【００２６】
この実施形態によれば、上記吸い込み管は、第２のマイクロナノバブル発生機が発生したマイクロナノバブルを含有する浴槽水を第１のマイクロナノバブル発生機に導入する。これにより、マイクロナノバブル発生部では、２段階で、マイクロナノバブル含有浴槽水を製造していることとなり、第１のマイクロナノバブル発生機では、新たなマイクロナノバブルを製造できると同時に、より、サイズの細かいマイクロナノバブルを製造することができる。
【００２７】
また、一実施形態のマイクロナノバブル浴槽は、上記第１のマイクロナノバブル発生機に上記マイクロナノバブル発生部の浴槽水を供給する水配管および循環ポンプと、上記第１のマイクロナノバブル発生機に空気を供給する空気配管と、上記水配管から得られるマイクロナノバブル含有水をシャワー部に導入するシャワー配管とを有する。
【００２８】
この実施形態のマイクロナノバブル浴槽によれば、上記第１のマイクロナノバブル発生機の水配管から得られるマイクロナノバブル含有浴槽水をシャワー配管を通して、シャワー部のシャワー水として利用できる。
【００２９】
また、一実施形態のマイクロナノバブル浴槽は、界面活性剤タンクと、上記界面活性剤タンクから上記浴槽部に界面活性剤を送出する界面活性剤タンクポンプと、上記浴槽部の浴槽水の濁度を検出する濁度計と、上記濁度計が出力する濁度検出信号に基づいて、上記界面活性剤タンクポンプの運転を制御する制御部とを有する。
【００３０】
この実施形態のマイクロナノバブル浴槽によれば、濁度計が検出した浴槽水の濁度に応じて、界面活性剤タンクから浴槽部に界面活性剤を送出するので、濁度計でマイクロナノバブルの発生状態を管理できると同時にマイクロナノバブル発生部で理想的なマイクロナノバブルを製造できる。
【００３１】
また、一実施形態のマイクロナノバブル浴槽は、上記界面活性剤が、ボデーソープである。
【００３２】
この実施形態のマイクロナノバブル浴槽によれば、ボデーソープを界面活性剤としているので、低価格で容易にマイクロナノバブルを製造できる。
【００３３】
また、一実施形態のマイクロナノバブル浴槽は、浴槽部に、炭酸ガス発生固形物を投入する。
【００３４】
この実施形態のマイクロナノバブル浴槽によれば、浴槽部に投入した炭酸ガス発生固形物によって、炭酸ガス発生固形物を活用した、炭酸ガスマイクロナノバブルを製造できる。
【００３５】
また、一実施形態のマイクロナノバブル浴槽は、上記マイクロナノバブル発生部は、上記下部の第２のマイクロナノバブル発生機の下方に設置されたひも状型ポリ塩化ビニリデン充填物を有する。
【００３６】
この実施形態のマイクロナノバブル浴槽によれば、上記マイクロナノバブル発生部の下部に設置したひも状型ポリ塩化ビニリデン充填物によって、浴槽水が含有している『アク』を処理できる。
【００３７】
また、一実施形態のマイクロナノバブル浴槽では、上記マイクロナノバブル発生部は、上記下部の第２のマイクロナノバブル発生機の下方に設置されたリング型ポリ塩化ビニリデン充填物を有する。
【００３８】
この実施形態のマイクロナノバブル浴槽によれば、上記マイクロナノバブル発生部の下部に設置したリング型ポリ塩化ビニリデン充填物によって、浴槽水が含有している『アク』を処理できる。
【００３９】
また、一実施形態のマイクロナノバブル浴槽は、上記浴槽部に、入浴剤を添加する。
【００４０】
この実施形態のマイクロナノバブル浴槽によれば、上記浴槽部に、入浴剤を添加して、理想的なマイクロナノバブル含有浴槽水を製造できる。
【発明の効果】
【００４１】
この発明のマイクロナノバブル浴槽水作製方法によれば、マイクロナノバブル発生部の上部と下部とで異なるサイズ分布のマイクロナノバブルを発生させることで、幅広いサイズ分布のマイクロナノバブルを発生できる。また、下部で発生したマイクロナノバブルの一部を上部に導入することで、上部でより小さいサイズ分布のマイクロナノバブルを発生させ易くなって、サイズ分布の小さなマイクロナノバブル水を容易に作製できる。また、上記作製したマイクロナノバブル浴槽水をシャワー水として活用すれば、このシャワー水で頭髪や顔を洗うことで、頭髪の育毛対策、また顔のしわに対する美容効果を期待できる。
【発明を実施するための最良の形態】
【００４２】
以下、この発明を図示の実施の形態により詳細に説明する。
【００４３】
(第１の実施の形態)
図１は、この発明のマイクロナノバブル浴槽の第１実施形態を模式的に示す図である。このマイクロナノバブル浴槽１は、マイクロナノバブル発生部３４と浴槽部３５とを備えている。このマイクロナノバブル発生部３４と浴槽部３５とは、仕切り壁３で仕切られているが、この仕切り壁３の下端で、マイクロナノバブル発生部３４と浴槽部３５は連通している。
【００４４】
マイクロナノバブル発生部３４は、下から、ブロワー６を有する水中ポンプ型マイクロナノバブル発生機２と、循環ポンプ１５に接続された吸い込み管８、循環ポンプ１５と配管によって接続されている旋回流型マイクロナノバブル発生機１０とを有する。このマイクロナノバブル発生部３４は、高速旋回方式のマイクロナノバブル発生機としての旋回流型マイクロナノバブル発生機１０の上方に、機器部カバー２０が配置されている。
【００４５】
なお、この実施形態では、第２のマイクロナノバブル発生機を回転撹拌方式のマイクロナノバブル発生機である水中ポンプ型マイクロナノバブル発生機２としたが、第２のマイクロナノバブル発生機を加圧溶解ポンプ方式のマイクロナノバブル発生機、コンプレッサー式加圧方式のマイクロナノバブル発生機、ノズル噴射方式のマイクロナノバブル発生機のうちのいずれかにしてもよい。
【００４６】
上記ブロワー６と水中ポンプ型マイクロナノバブル発生機２とは、空気配管４で接続されており、バルブ５が、それら空気配管４上に設置されて、水中ポンプ型マイクロナノバブル発生機２に対する空気量を調整できる。
【００４７】
そして、水中ポンプ型マイクロナノバブル発生機２は、旋回流型マイクロナノバブル発生機１０と比較して、サイズが比較的大きいマイクロナノバブルを発生して、マイクロナノバブル水流９を形成している。すなわち、この水中ポンプ型マイクロナノバブル発生機２が発生するマイクロナノバブルのサイズは、旋回流型マイクロナノバブル発生機１０が発生するマイクロナノバブルのサイズに比較して、サイズが小さいところに分布している。
【００４８】
また、旋回流型マイクロナノバブル発生機１０は、空気吸い込み管１４,ニードルバルブ１３,空気配管１２によって空気を取り入れ、かつ、循環ポンプ１５によって吸い込み管８から浴槽水を吸い込むと共にバルブ１７で吸い込む水量を調整する。これにより、旋回流型マイクロナノバブル発生機１０は、比較的サイズの小さいマイクロナノバブルを発生させて、マイクロナノバブル水流１１を形成している。
【００４９】
なお、マイクロナノバブル発生部３４の下部に設置された水中ポンプ型マイクロナノバブル発生機２が発生させた多量のマイクロナノバブルは、旋回流型マイクロナノバブル発生機１０の吸い込み管８から吸い込まれ、一部のマイクロナノバブルは旋回流型マイクロナノバブル発生機１０によってサイズがより小さなマイクロナノバブルとなる。こうして、マイクロナノバブル発生部３４の下部と上部に設置された２種類のマイクロナノバブル発生機２,１０によって、サイズが小さく、かつ多量のマイクロナノバブルを発生させることができる。
【００５０】
具体的一例では、水中ポンプ型マイクロナノバブル発生機２の空気吸い込み量が５リットル/分であり、旋回流型マイクロナノバブル発生機１０の空気吸い込み量が１リットル/分であるので、１リットル/分の空気量はサイズの小さいマイクロナノバブル形成に有効となる。また、水中ポンプ型マイクロナノバブル発生機２が吸い込んだ５リットル/分の空気はマイクロナノバブルを形成し、その一部は、旋回流型マイクロナノバブル発生機１０の空気吸い込み管８から吸い込まれて、旋回流型マイクロナノバブル発生機１０によってサイズがより小さいマイクロナノバブルを形成することとなる。
【００５１】
結果として、サイズが多種類で、マイクロナノバブル量の多いマイクロナノバブルが形成されて、これらのマイクロナノバブルが蛇腹状ホース２２から、吐出する。図１において、符号２１は、フランジであり、蛇腹状ホース２２を取り外す時に使用する。なお、蛇腹状ホース２２は、可撓性を有し屈曲,湾曲可能で自由自在に動かすことができる。すなわち、この蛇腹状ホース２２によれば、人体のうち、マイクロナノバブル水流を当てたい部分に、自在にマイクロナノバブル水流１１を噴射するこができる。例えば、糖尿病患者は、足にしびれ感があり、悩んでいるが、それらしびれ感の有る足に対して、マイクロナノバブル水を蛇腹状ホース２２で、必要な患部に当てることができる。また、マイクロナノバブル浴槽１の全体に、マイクロナノバブルを充満させて、人体の全体の血液の流れを良くするためには、蛇腹状ホース１１をフランジ２１で取り外して使用することができる。
【００５２】
尚、符号１８はシャワー口であり、このシャワー口１８はシャワー管ＳＴでバルブ１６に接続されている。このバルブ１６を調整して、シャワー口１８より、マイクロナノバブル含有浴槽水を噴射させることもできる。このバルブ１６は、循環ポンプ１５を経由してマイクロナノバブル含有水配管７に接続されており、このマイクロナノバブル含有水配管７は吸い込み管８に連なっている。上記シャワー口１８,シャワー管ＳＴ,バルブ１６がシャワー部を構成している。また、上記配管７はシャワー配管を構成している。
【００５３】
マイクロナノバブル含有水は、頭髪の育毛効果や、顔のしわに対する美容効果が、実証されてきたので、このマイクロナノバブル浴槽１では入浴の仕方も、特に頭髪が少ない高齢者では、一例として、次のように、変化させることが望ましい。
【００５４】
(1)シャワー部のシャワー口１８から散水されるシャワー水１９としてのマイクロナノバブル温水で、頭髪と顔を洗う(きれいな浴槽水の利用)。
【００５５】
(2)シャワー水１９で頭髪と顔を洗浄した後に、浴槽部３５に人体を入れて、血液流量を増加させる(特に糖尿病患者対策)。なお、符号３１は、マイクロナノバブル浴槽１から浴槽水を排水する際のバルブである。
【００５６】
なお、上述の如く、非水中ポンプ型(旋回流型)マイクロナノバブル発生機１０から発生するマイクロナノバブルは、水中ポンプ型マイクロナノバブル発生機２から発生するマイクロナノバブルよりも、サイズが小さいことが知られている。そして、この第１実施形態では、性能の異なる２台のマイクロナノバブル発生機１０,２をマイクロナノバブル発生部３４の上部と下部に設置している。
【００５７】
したがって、このマイクロナノバブル浴槽１では、下部の水中ポンプ型マイクロナノバブル発生機２で、まず少し大きめのマイクロナノバブルを作製し、その後、この少し大きめのマイクロナノバブルを含有している液体を非水中ポンプ型(旋回流型)マイクロナノバブル発生機１０に導入する。これにより、マイクロナノバブル発生部３４において、マイクロナノバブルのうちナノバブルをより多く発生させている。バブルは、より超微細な方が、液体中に長く持続するし、生物としての人体に対する作用もより効果的である。
【００５８】
また、水中ポンプ型マイクロナノバブル発生機２は、一例として、市販されているものを採用可能であるが、メーカーを限定するものではない。この実施形態では、具体的一例として、野村電子工業株式会社のものを採用した。また、非水中ポンプ型(旋回流型)マイクロナノバブル発生機１０は、一例として、ナノプラネット研究所の製品を採用したが、他の商品としては、他メーカーの商品も数多く販売されているので、目的にしたがって選定すれば良い。
【００５９】
ここで３種類のバブルについて説明する。
【００６０】
(ｉ) 通常のバブル(気泡)は水の中を上昇して、ついには表面でパンとはじけて消滅する。
【００６１】
(ii)  マイクロバブルは、その発生時において、１０〜数１０μｍの気泡径を有する気泡であり、マイクロバブルは、発生後に収縮運動により『マイクロナノバブル』に変化する。
【００６２】
(iii)  マイクロナノバブルは、１０μｍから数百ｎｍ前後の直径を有する気泡である。マイクロナノバブルとは、マイクロバブルとナノバブルとが混合したバブルと説明できる。
【００６３】
(iｖ)  ナノバブルは、数百ｎｍ以下の直径を有する気泡である。
【００６４】
ちなみに、ラインミキサー型散気装置では、ナノバブルは発生することができないが、多量のマイクロバブルを発生させることができる。
【００６５】
(第２の実施の形態)
次に、図２に、この発明のマイクロナノバブル浴槽の第２実施形態を示す。この第２実施形態は、図１の第１実施形態における蛇腹状ホース２２よりも短い蛇腹ホース２２Ｓを有する点と、蛇腹状ホース２２Ｓ内に設置した小孔板３３を有する点と、マイクロナノバブル浴槽１内に設置した濁度計２８および濁度計２８に連携した濁度調節計２９,界面活性剤タンク定量ポンプ２４,界面活性剤タンク２３を新たに設置した点が、上述の第１実施形態と異なっている。
【００６６】
よって、この第２実施形態では、上述の第１実施形態と同じ部分については、同じ符号を付けて詳細説明を省略し、第１実施形態と異なる部分を説明する。
【００６７】
図２に示すように、この第２実施形態では、第１実施形態における蛇腹状ホース２２よりも短い蛇腹ホース２２Ｓを有し、蛇腹状ホース２２Ｓ内に小孔板３３を設置したので、マイクロナノバブル水流１１の吐出圧を和らげられる。したがって、浴槽１の浴槽部３５内の人体全体に、マイクロナノバブル水流を柔らかく当てることができる。
【００６８】
また、この第２実施形態では、マイクロナノバブル浴槽１内に濁度計２８を設置し、この濁度計２８に連携した濁度調節計２９、界面活性剤タンク定量ポンプ２４、界面活性剤タンク２３を備えている。これによって、濁度計２８は、浴槽部３５内の浴槽水の濁度を検出して、濁度検出信号を制御部としての濁度調節計２９に出力する。この濁度調節計２９は、濁度計２９からの濁度検出信号に基づいて、界面活性剤タンクポンプ２４の運転を制御する。
【００６９】
この制御により、浴槽部３５での浴槽水に含有されるマイクロナノバブル量を濁度計２８が検出した濁度で代表して検出し、濁度が所定値よりも小さい場合はマイクロナノバブル量が不足している場合であるとして、界面活性剤タンクポンプ２４により界面活性剤タンク２３から自動的に界面活性剤としてのボディーソープ等を浴槽部３５に供給する。これにより、マイクロナノバブル発生部３４では、最適なマイクロナノバブルを発生させることができる。このように、マイクロナノバブル発生部３４で最適なマイクロナノバブルを発生させることができると、浴槽部３５に浸かっている人体は血流量が増加して、血液の流れが増加して、血液の流れが悪い疾病に対して、効果が期待できる。
【００７０】
(第３の実施の形態)
次に、図３に、この発明のマイクロナノバブル浴槽の第３実施形態を示す。この第３実施形態は、図１の第１実施形態のシャワー部のバルブ１６が配管７に接続されていなく、新たに設置したシャワーポンプ２５に接続されている点が、上述の第１実施形態と異なる。よって、この第３実施形態では、図１の第１実施形態と同じ部分については、同じ符号を付けて詳細説明を省略し、第１実施形態と異なる部分を説明する。
【００７１】
この第３実施形態では、シャワーポンプ２５はマイクロナノバブル発生部３４の上部の旋回流型マイクロナノバブル発生機１０の上方のマイクロナノバブル含有浴槽水を配管Ｌ１を経由して配管Ｌ２からバルブ１６に送出し、シャワー管ＳＴを通して、シャワー口１８からシャワー水１９として散水できる。
【００７２】
よって、この第３実施形態によれば、循環ポンプ１５の動作とは独立したシャワーポンプ２５の動作によって、マイクロナノバブル含有水によるシャワーを利用できる。このマイクロナノバブル含有水によるシャワーは、人体の洗浄や頭髪の洗浄の用途に利用できる。
【００７３】
(第４の実施の形態)
次に、図４に、この発明のマイクロナノバブル浴槽の第４実施形態を示す。この第４実施形態は、前述した第２実施形態のシャワー部のバルブ１６が配管７に接続されていなく、新たに設置したシャワーポンプ２５に接続されている点が、上述の第２実施形態と異なる。よって、この第４実施形態では、図２の第２実施形態と同じ部分については、同じ符号を付けて詳細説明を省略し、第２実施形態と異なる部分を説明する。
【００７４】
この第４実施形態では、前述の第３実施形態と同様、シャワーポンプ２５はマイクロナノバブル発生部３４の上部の旋回流型マイクロナノバブル発生機１０の上方のマイクロナノバブル含有浴槽水を配管Ｌ１を経由して配管Ｌ２からバルブ１６に送出し、シャワー管ＳＴを通して、シャワー口１８からシャワー水１９として散水できる。
【００７５】
よって、この第３実施形態によれば、循環ポンプ１５の動作とは独立したシャワーポンプ２５の動作によって、マイクロナノバブル含有水によるシャワーを利用できる。このマイクロナノバブル含有水によるシャワーは、人体の洗浄や頭髪の洗浄の用途に利用できる。
【００７６】
(第５の実施の形態)
次に、図５に、この発明のマイクロナノバブル浴槽の第５実施形態を示す。この第５実施形態は、図１の第１実施形態におけるマイクロナノバブル浴槽１の浴槽部３５の下部に、固形二酸化炭素発生材２６を設置した点が、前述の第１実施形態と異なる。よって、この第５実施形態では、上述の第１実施形態と同じ部分については、同じ符号を付けて、詳細説明を省略し、第１実施形態と異なる部分を説明する。
【００７７】
この第５実施形態は、マイクロナノバブル浴槽１の浴槽部３５の下部に設置した固形二酸化炭素発生材２６から、二酸化炭素ガスのマイクロナノバブルを発生させることができ、人体の血液の流れを円滑にできる。また、二酸化炭素ガスマイクロナノバブルにより、疲労の回復が期待できる。
【００７８】
(第６の実施の形態)
次に、図６に、この発明のマイクロナノバブル浴槽の第６実施形態を示す。この第６実施形態は、次の(ｉ)〜(iii)の点が上述の第１実施形態と異なる。
【００７９】
(ｉ) マイクロナノバブル発生部３４の最下部の部分に上部ネット３７と下部ネット３８を新たに設置した点。
【００８０】
(ii) 上部ネット３７と下部ネット３８の間にリング型ポリ塩化ビニリデン充填物３２を充填した点。
【００８１】
(iii) 図１の蛇腹状ホース２２,フランジ２１が削除されている点。
【００８２】
よって、この第６実施形態では、第１実施形態と同じ部分については同じ符号を付けて詳細説明を省略し、第１実施形態と異なる部分を説明する。
【００８３】
この第６実施形態では、マイクロナノバブル発生部３４の最下部の部分に設置した上部ネット３７と下部ネット３８との間にリング型ポリ塩化ビニリデン充填物３２を充填した。このリング型ポリ塩化ビニリデン充填物３２によれば、マイクロナノバブル浴槽１で発生した『アク』をリング型ポリ塩化ビニリデン充填物３２に付着させて、浴槽内の湯とアクとを分離でき、複数人の人が入浴しても湯を清潔に保つことができる。
【００８４】
また、この第６実施形態では、蛇腹状ホース２２が設置されていないので、マイクロナノバブルの水流１１は、マイクロナノバブル水出口３９より出て、マイクロナノバブル浴槽１の全体に広がる。
【００８５】
(第７の実施の形態)
次に、図７に、この発明のマイクロナノバブル浴槽の第７実施形態を示す。この第７実施形態は、前述の第６実施形態におけるマイクロナノバブル発生部３４の下部の部分に、上部ネット３７,下部ネット３８に替えて固定金具３６が、設置されている点と、リング型ポリ塩化ビニリデン充填物３２に替えてひも状型ポリ塩化ビニリデン充填物３０が充填されている点とが第６実施形態と異なっている。
【００８６】
よって、この第７実施形態では、第１実施形態と同じ部分については、同じ符号を付けて、詳細説明を省略する。第１実施形態と異なる部分のみ、説明する。
【００８７】
この第７実施形態では、マイクロナノバブル発生部３４の下部の部分に設置した固定金具３６にひも状型ポリ塩化ビニリデン充填物３０が取り付けられている。よって、このひも状型ポリ塩化ビニリデン充填物３０に、マイクロナノバブル浴槽１で発生した『アク』を付着させ、浴槽の湯とアクとを分離でき、複数人の人が入浴しても湯を清潔に保つことができる。
【００８８】
(第８の実施の形態)
次に、図８に、この発明のマイクロナノバブル浴槽の第８実施形態を示す。この第８実施形態は、図６の第６実施形態におけるシャワー部のバルブ１６が配管７に接続されていなく、新たに設置したシャワーポンプ２５に接続されている点が、上述の第６実施形態と異なる。すなわち、この第８実施形態では、シャワー口１８へのマイクロナノバブル浴槽水(浴槽湯)の供給をシャワーポンプ２５単独で実施している。よって、この第８実施形態では、図６の第６実施形態と同じ部分については、同じ符号を付けて詳細説明を省略し、第６実施形態と異なる部分を説明する。
【００８９】
この第８実施形態では、シャワーポンプ２５はマイクロナノバブル発生部３４の上部の旋回流型マイクロナノバブル発生機１０の上方のマイクロナノバブル含有浴槽水を配管Ｌ１を経由して配管Ｌ２からバルブ１６に送出し、シャワー管ＳＴを通して、シャワー口１８からシャワー水１９として散水できる。
【００９０】
よって、この第８実施形態によれば、旋回流型マイクロナノバブル発生機１０に循環水を供給する循環ポンプ１５の動作とは独立して、シャワーポンプ２５を単独で運転できる。つまり、この第８実施形態では、循環ポンプ１５の運転と非運転に関係なく、シャワーポンプ２５を単独で運転して、マイクロナノバブル含有水によるシャワーを利用できる。したがって、この第８実施形態によれば、シャワーを使用したいときに自由に使用でき、マイクロナノバブル含有水によるシャワーを、人体の洗浄や頭髪の洗浄の用途に利用できる。
【００９１】
(第９の実施の形態)
次に、図９に、この発明のマイクロナノバブル浴槽の第９実施形態を示す。この第９実施形態は、図７の第７実施形態におけるシャワー部のバルブ１６が配管７に接続されていなく、新たに設置したシャワーポンプ２５に接続されている点が、上述の第７実施形態と異なる。すなわち、この第９実施形態では、シャワー口１８へのマイクロナノバブル浴槽水(浴槽湯)の供給をシャワーポンプ２５単独で実施している。よって、この第９実施形態では、図７の第７実施形態と同じ部分については、同じ符号を付けて詳細説明を省略し、第７実施形態と異なる部分を説明する。
【００９２】
この第９実施形態では、シャワーポンプ２５はマイクロナノバブル発生部３４の上部の旋回流型マイクロナノバブル発生機１０の上方のマイクロナノバブル含有浴槽水を配管Ｌ１を経由して配管Ｌ２からバルブ１６に送出し、シャワー管ＳＴを通して、シャワー口１８からシャワー水１９として散水できる。
【００９３】
よって、この第９実施形態によれば、旋回流型マイクロナノバブル発生機１０に循環水を供給する循環ポンプ１５の動作とは独立して、シャワーポンプ２５を単独で運転できる。つまり、この第９実施形態では、循環ポンプ１５の運転と非運転に関係なく、シャワーポンプ２５を単独で運転して、マイクロナノバブル含有水によるシャワーを利用できる。したがって、この第９実施形態によれば、シャワーを使用したいときに自由に使用でき、マイクロナノバブル含有水によるシャワーを、人体の洗浄や頭髪の洗浄の用途に利用できる。
【００９４】
(第１０の実施の形態)
次に、図１０に、この発明のマイクロナノバブル浴槽の第１０実施形態を示す。この第１０実施形態は、図６の第６実施形態におけるマイクロナノバブル浴槽１の浴槽部３５に入浴剤が添加されている点が、上述の第６実施形態と異なる。よって、この第１０実施形態では、第６実施形態と同じ部分については、同じ符号を付けて詳細説明を省略し、第６実施形態と異なる部分を説明する。
【００９５】
この第１０実施形態では、マイクロナノバブル浴槽１の浴槽部３５に入浴剤を添加している。なお、この入浴剤の添加は、入浴剤を添加するための設備を設けても良いし、手作業で入浴剤を単に添加してもよい。この第１０実施形態によれば、この添加された入浴剤によって、浴槽水にマイクロナノバブルが最適な量とサイズで発生して、牛乳風呂のようになる。但し、入浴剤の種類によってマイクロナノバブルの発生状態が異なることとなる。
【００９６】
(第１１の実施の形態)
次に、図１１に、この発明のマイクロナノバブル浴槽の第１１実施形態を示す。この第１１実施形態は、図７の第７実施形態におけるマイクロナノバブル浴槽１の浴槽部３５に入浴剤が添加されている点が、上述の第７実施形態と異なる。よって、この第１１実施形態では、第７実施形態と同じ部分については、同じ符号を付けて詳細説明を省略し、第７実施形態と異なる部分を説明する。
【００９７】
この第１１実施形態では、マイクロナノバブル浴槽１に入浴剤が添加している。なお、この入浴剤の添加は、入浴剤を添加するための設備を設けても良いし、手作業で入浴剤を単に添加してもよい。この第１１実施形態によれば、この添加された入浴剤によって、浴槽水にマイクロナノバブルが最適な量とサイズで発生して、牛乳風呂のようになる。ただし、入浴剤の種類によってマイクロナノバブルの発生状態が異なることとなる。
【００９８】
(実験例)
図１に示す第１実施形態に対応する実験装置を作製した。この実験装置では、マイクロナノバブル浴槽１の容量が０.２ｍ３とし、このマイクロナノバブル浴槽１のうちのマイクロナノバブル発生部３４の容量を０.０３ｍ３とし、浴槽部３５の容量を０.１７ｍ３として、実験用マイクロナノバブル浴槽を製作した。そして、浴槽部３５に入浴剤を添加して、マイクロナノバブルを理想的に発生させて、牛乳風呂の状態を作成した。そして、真っ白なマイクロナノバブルを発生させて、約１時間、足に照射し、風呂から出て、足を観察したところ、赤くなっていた。また、しびれ感が一時的に解消した状況であった。また、空腹時及び食後の血糖値を、対策前と比較すると、日によって異なるものの、１０％から３０％まで、低下していた。
【図面の簡単な説明】
【００９９】
【図１】この発明のマイクロナノバブル浴槽の第１実施形態を模式的に示す図である。
【図２】この発明のマイクロナノバブル浴槽の第２実施形態を模式的に示す図である。
【図３】この発明のマイクロナノバブル浴槽の第３実施形態を模式的に示す図である。
【図４】この発明のマイクロナノバブル浴槽の第４実施形態を模式的に示す図である。
【図５】この発明のマイクロナノバブル浴槽の第５実施形態を模式的に示す図である。
【図６】この発明のマイクロナノバブル浴槽の第６実施形態を模式的に示す図である。
【図７】この発明のマイクロナノバブル浴槽の第７実施形態を模式的に示す図である。
【図８】この発明のマイクロナノバブル浴槽の第８実施形態を模式的に示す図である。
【図９】この発明のマイクロナノバブル浴槽の第９実施形態を模式的に示す図である。
【図１０】この発明のマイクロナノバブル浴槽の第１０実施形態を模式的に示す図である。
【図１１】この発明のマイクロナノバブル浴槽の第１１実施形態を模式的に示す図である。
【符号の説明】
【０１００】
１  マイクロナノバブル浴槽
２  水中ポンプ型マイクロナノバブル発生機
３  仕切り壁
４  空気配管
５  バルブ
６  ブロワー
７  マイクロバブル含有水配管
８  吸い込み管
９  マイクロバブル水流
１０  旋回流型マイクロナノバブル発生機
１１  マイクロナノバブル水流
１２  空気配管
１３  ニードルバルブ
１４  空気吸い込み管
１５  循環ポンプ
１６  バルブ
１７  バルブ
１８  シャワー口
１９  シャワー水
２０  機器部カバー
２１  フランジ
２２  蛇腹状ホース
２３  界面活性剤タンク
２４  界面活性剤タンク定量ポンプ
２５  シャワーポンプ
２６  固形二酸化炭素発生材
２８  濁度計
２９  濁度調節計
３０  ひも状型ポリ塩化ビニリデン充填物
３１  排水バルブ
３２  リング型ポリ塩化ビニリデン充填物
３３  小孔板
３４  マイクロナノバブル発生部
３５  浴槽部
３６  固定金具
３７  上部ネット
３８  下部ネット
３９  マイクロナノバブル出口
【図１】
2008079895.tif 000003
【図２】
2008079895.tif 000004
【図３】
2008079895.tif 000005
【図４】
2008079895.tif 000006
【図５】
2008079895.tif 000007
【図６】
2008079895.tif 000008
【図７】
2008079895.tif 000009
【図８】
2008079895.tif 000010
【図９】
2008079895.tif 000011
【図１０】
2008079895.tif 000012
【図１１】
2008079895.tif 000013